(57)【特許請求の範囲】
【請求項１】
別々に第一開口と第二開口とを有する収容空間を備える本体を有し、前記第一開口および前記第二開口は本体の軸方向に位置し、平常時は、前記第一開口は本体の上段の上端に位置し、前記第二開口は本体の下段の底端に位置し、第一開口の径は第二開口の径よりも小さく、且つ本体の第一開口と第二開口とは、上蓋と底蓋とで別々にカバーすることが可能であり、前記上蓋の第一開口にある内側面と対応する箇所には、第一内ねじ段と、軟質材料であるシリコンを素材として作製され水止め効果を持つ軟質パッドと、定位ロッドと通気孔とが設けられている支持ディスクと、第二内ねじ段とが順に設けられ、前記収容空間の第二開口には本体から分離可能な濾過コップが設けられ、前記濾過コップの底端には下向きのコップ開口部を有し、前記濾過コップが本体の第二開口に定位するために、前記コップ開口部には周縁から外側へ突起する止め部が設けられ、
水止め効果を有する前記軟質パッドには、空気を通すことの可能な隙間が設けられ、前記隙間の両側がＵ字形を呈することにより、熱空気を漏れ出すことが可能で、冷空気を降下することも可能であることを特徴とする容器。
【請求項２】
内螺旋を有する上蓋と底蓋とを別々に締めて固定するために、前記本体と連接する第一開口と第二開口との外縁には、第一外ねじ段と第二外ねじ段とが別々に設けられていることを特徴とする請求項１に記載の容器。
【請求項３】
水止め効果を有する前記軟質パッドには、前記定位ロッドを挿入するための定位穴が設けられることを特徴とする請求項１に記載の容器。
【請求項４】
前記支持ディスクの縦方向には、頂ブロックと連通部とが伸びて設けられ、前記連通部は、その一端がホースと接続し、本体の内側面から遠ざかる一端は軟質吸上げ管と接続し、且つ前記ホースと前記連通部と前記軟質吸上げ管とを連通状態にし、前記上蓋本体は頂蓋と枢接し、且つ前記頂蓋の前記本体に対向する内面には押圧ブロックが突設され、前記軟質吸上げ管は、前記頂ブロックと前記押圧ブロックとに固定され、前記支持ディスクと前記頂蓋との間に収納されることにより、お茶などを吸上げて飲むことが可能であることを特徴とする請求項１に記載の容器。
【発明の詳細な説明】
【技術分野】
【０００１】
本発明は、容器に関し、特に二つの開口を有し、お湯を入れる際に茶葉または研磨されたコーヒー粉末が水に完全に浸され、且つ飲用の際に、茶葉またはコーヒー粉末を飲むことを回避可能な容器に関する。
【背景技術】
【０００２】
図８に示すように一般のお茶を入れるための容器、収容空間７１が凹設される本体７を有し、収容空間７１の上には開口７１１が開けられている。濾過コップ８は開口７１１から装入することが可能で、濾過コップ８内には茶葉Ｂが収容され、収容空間７１を被せるために、本体７には脱着可能な蓋９が設けられている。
【０００３】
使用時に、茶葉Ｂを濾過コップ８に入れて、収容空間にお湯を注いだ後、本体７の開口７１１に蓋９を被せて、収容空間７１におけるお湯により茶葉Ｂが完全に展開し、これにより、香りよくて美味しいお茶を入れることが可能である。
【発明の開示】
【発明が解決しようとする課題】
【０００４】
しかしながら、上記のお茶を入れるための容器の濾過コップ８は収容区間７１の上に設置され、お湯を注ぐ際に、お湯の水面を濾過コップ８内にある茶葉Ｂの高さより高くすることが必要である。そうしないと、茶葉Ｂをお湯に完全に浸して展開することができないので、お茶を入れている過程中に使用者が一部のお茶を飲むと、お湯の水面が濾過コップ８内にある茶葉Ｂの高さよりも低くなり、図９に示すように、茶葉Ｂをお湯に浸さなくなる。
【０００５】
特に、本体７内の濾過コップ８の開口は本体７の開口７１１と同一な方向であるので、使用者がお茶を飲むときに、茶葉が口に入ることがある。
また、上記のお茶を入れるための容器の開口は単一であり、且つ茶葉Ｂを濾過コップ８に装入するときの便利性のために、開口７１１の直径は一般に大きくさせ、且つ開口７１１は蓋９及び濾過コップ８に合う構造を有し、一般のコップと異なるので、使用者がお茶を飲んでいるときに、開口７１１の形体によってお茶が漏れ出すことがある。逆に、開口７１１の直径を小さくすれば、上記の現象を回避可能であるが、茶葉Ｂの装入が難しくなる。
【０００６】
したがって本発明の目的は、開口を二つにし、濾過コップを収容空間の下に位置することにより、お茶を入れるときに、茶葉が水に完全に浸され、且つお茶を飲むときに、茶葉が口に入ることを回避し、なお、第一開口が第二開口よりも小さいので、第一開口によりお茶を飲むと、進行中にお茶を飲んでも、お茶が漏れ出すことがなく、且つ第二開口によりお湯を注ぐときに、開口がより大きいので、水の注入が容易である容器を提供することにある。
【課題を解決するための手段】
【０００７】
上述の目的を達成するために本発明の請求項に記載の容器本体は、別々に第一開口と第二開口とを備える収容空間を有する。二つの開口は本体の軸方向に位置し、平常時では、第一開口は本体の上段の上端に位置し、第二開口は本体の下段の底端に位置する。第一開口の径は第二開口の径よりも小さく、且つ本体の第一開口と第二開口とは、上蓋と底蓋とを別々にカバーすることが可能である。上蓋の第一開口にある内側面と対応する箇所では、第一内ねじ段と、軟質材料であるシリコンを素材として作製され水止め効果を持つ軟質パッドと、定位ロッドと通気孔とが設けられている支持ディスクと、第二内ねじ段とが順に設けられている。収容空間の第二開口には本体から分離可能な濾過コップが設けられ、濾過コップの底端には下向きのコップ開口部を有し、濾過コップが本体の第二開口に定位するために、コップ開口部には周縁から外側へ突起する止め部が設けられている。
【０００８】
本発明に係る容器よれば、次のような効果を有する。
（イ）開口を二つにし、濾過コップ５を収容空間２の下に位置することにより、お茶を入れるときに、茶葉Ａがお湯に完全に浸され、なお、お茶を飲むときに、茶葉が口に入ることを回避可能である。
【０００９】
（ロ）第一開口２１が第二開口２２よりも小さいので、第一開口２１によりお茶を飲むと、進行中にお茶を飲んでも、お茶が漏れ出すことがなく、且つ第二開口２２によりお湯を注ぐときに、開口がより大きいので、お湯の注入が容易になる。
【００１０】
（ハ）平常時に軟質パッド３２にある隙間３２１が密封状態であり、収容空間２の内部のお湯が揺られて熱膨張する場合には、軟質パッド３２にある隙間３２１が圧力を受けて開けられ、収容空間２内の熱空気がリリーフし、そうすると、収容空間２の内外圧力が一致する。
【発明を実施するための最良の形態】
【００１１】
以下、本発明の実施例を図面に基づいて説明する。
図１から図７は本発明の実施例による容器の構造は説明するために挙げたものであり、本発明は上記の構造に限定されない。
【００１２】
本発明の第一実施例による容器は、別々に第一開口２１と第二開口２２とを持つ収容空間２を備える本体１を有する。第一開口２１と第二開口２２は本体の軸方向に位置し、平常時は、第一開口２１は本体１の上段の頂端１１に位置し、第二開口２２は本体１の下段の底端１２に位置する。第二開口の径は本体１の下段の内径とほぼ同じ、第一開口２１の径は第二開口２２の径よりも小さい。第一実施例では、内螺旋を持つ上蓋３と底蓋４とを別々に締めて固定して収容空間２を閉鎖するために、本体１と連接する第一開口２１と第二開口２２との外縁には、第一外ねじ段２１１と第二外ねじ段２２１とが別々に設けられている。第一実施例では、上蓋３の第一開口２１にある内側面３１と対応する箇所では、第一外ねじ段２１１と螺合するための第一内ねじ段３１１と、軟質材料であるシリコンを素材として作製され水止め効果を持つ軟質パッド３２と、定位ロッド３３２と通気孔３３１とが設けられている支持ディスク３３と、頂蓋３４と螺合するための第二内ねじ段３１２とが順に設けられている。支持ディスク３３は、定位ロッド３３２と軟質パッド３２との結合により、軟質パッド３２の定位穴３２２内に挿入することが可能で、軟質パッド３２が誤る方向に設置されることを回避し、気体が通気孔３３１を経由して漏れ出すことができるように、軟質パッド３２には一隙間が別に設けられている。
【００１３】
茶葉Ａを収容するために、収容空間２の第二開口２２には本体１から分離可能な濾過コップ５が設けられている。濾過コップ５は、金属網と複数の支持ロッドで作製され、茶葉Ａの移動範囲を濾過コップ５内に制限させる。濾過コップ５の底端には下向きのコップ開口部５１を有し、濾過コップ５のコップ開口部５１が第二開口２２と同様な位置にあり、コップ開口部５１には周縁から外側へ突起する止め部５２が設けられている。第一実施例では、止め部５２は、リング状であり、その外径が第二開口２２の内径よりも大きいので、本体１の第二開口２２の周縁と当接することが可能で、底蓋４を本体１の第二外ねじ段２２１に締めて固定し、濾過コップ５の止め部５２を本体１の第二開口２２と底蓋４との間に挟むことが可能である。
【００１４】
第二開口２２は本体１の下段の底端１２に位置し、濾過コップ５は本体１の下段の第二開口２２に設置されるので、平常時に、濾過コップ５は収容空間２の下に位置する。第一実施例では、底蓋４を本体１の第二外ねじ段２２１に締結したときに、お茶の湯を収容空間２内に確実に密封するために、止め部５２には一水止め部材４１が嵌められている。お茶の湯が漏れ出して第二外ねじ段２２１にお茶の汚れを付けることを回避可能で、且つ止め部５２と底蓋４との密封度がもっと良くなる。
【００１５】
図４に示すように、平常時に濾過コップ５は収容空間２の下に位置するので、使用するときには、第一実施例に係る容器を反転して底蓋４を緩めて開けると、濾過コップ５のコップ開口部５１が上向きであり、茶葉Ａを装入してお湯を収容空間２内に注入して底蓋４を締めた後、もう一度第一実施例に係る容器を反転し元の状態に回復する。ここで、濾過コップ５のコップ開口部５１は下向きであり、お湯および茶葉Ａが収容空間２の下に落ちるので、お茶を入れる過程中に使用者がお茶の一部を飲んでも、収容空間２内のお湯の水面は茶葉Ａよりも低くなる心配がない。
【００１６】
図５に示すように、上蓋３にある軟質パッド３２及び水止め部材４１により、収容空間２内に注入されたお湯は収容空間２内に密封されるので、外出やハイキングのときに第一実施例に係る容器でお茶を入れると、携帯して歩いても、お茶が漏れ出さない。
【００１７】
第一実施例による容器は、底蓋４の直径は本体１の下段の直径と同様なので、市販しているコップ置き枠に置くことが可能である。第一開口２１の直径は第二開口２２の直径よりも小さいので、外出やハイキングのときに、容器を携帯して歩きながらお茶を飲む際に、第一開口２１によりお茶を飲むと、開口がより小さいので、お茶が漏れ出さない。また、濾過コップ５のコップ開口部５１は第二開口２２と同様な位置にあり、且つ茶葉Ａが濾過コップ５内に止められるので、第一開口２１によりお茶を飲むときに、茶葉Ａが使用者の口に入ることがない。
【００１８】
なお、収容空間２内に収容されるお湯は収容空間２内の空気を加熱して熱膨張させるので、軟質パッド３２が外へ押されて隙間３２１が生じ、第一実施例では、隙間３２１の両側がＵ字形を呈するので、収容空間２内の熱空気がリリーフされ、図６に示すように、漏れ出した熱空気が冷却した後、冷空気が降下して隙間３２１を経由して収容空間２に再び進入する。そうすると、収容空間２の内外圧力が一致するため、収容空間２内のお湯が冷却した後に収容空間２内の圧力が収容空間２の外部の圧力よりも小さいことにより上蓋３が容易に開けられないことを回避可能とする。一方、第一実施例による収容空間２は、茶葉Ａを収容可能であると共に、例えばコーヒー粉末や乾燥された花などのものも収容可能である。
【００１９】
もちろん、本発明は別の実施例が多数あり、それらは詳細の処での変化のみである。図７に示すように、本発明の第二実施例による容器は、容器の上蓋３の支持ディスク３３の縦方向には、頂ブロック３３３と、支持ディスク３３を貫通した連通部３３４とが伸びて設けられている。連通部３３４は、本体１の内側面３１に寄る一端がホース３３５と接続し、本体１の内側面３１から遠ざかる一端が軟質吸上げ管３３６と接続し、且つホース３３５と連通部３３４と軟質吸上げ管３３６とを連通状態にすることにより、お茶などを吸上げて飲むことが可能である。且つ頂蓋３４が上蓋３と枢接し、頂蓋３４の本体１に対向する内面には押圧ブロック３４１が突設し、軟質吸上げ管３３６は、頂ブロック３３２と押圧ブロック３４１とに固定され、支持ディスク３３と頂蓋３４との間に収納される。
【００２０】
上記の実施例は本発明を説明するために挙げたものであり、本発明を限定するものではなく、寸法の変更や同じ効果を持つ部品の変更が全て本発明の発明申請範囲に属する。
【図面の簡単な説明】
【００２１】
【図１】本発明の第一実施例による容器を示す斜視図である。
【図２】本発明の第一実施例による容器の分解状態を示す斜視図である。
【図３】本発明の第一実施例による容器を示す上面図である。
【図４】本発明の第一実施例による容器の使用状態を示す図面１である。
【図５】本発明の第一実施例による容器の使用状態を示す図面２である。
【図６】本発明の第一実施例による容器の一部を示す拡大図である。
【図７】本発明の第二実施例による容器の一部を示す斜視図である。
【図８】従来の容器を示す上面図１である。
【図９】従来の容器を示す上面図２である。
【符号の説明】
【００２２】
１  本体、２  収容空間、３  上蓋、４  底蓋、５  濾過コップ、１１  上端、１２  底端、２１  第一開口、２２  第二開口、３１  内側面、３２  軟質パッド、３３  支持ディスク、３４  頂蓋、４１  水止め部材、５１  コップ開口、５２  止め部、２１１  第一外ねじ段、２２１  第二外ねじ段、３１１  第一内ねじ段、３１２  第二内ねじ段、
３２１  隙間、３２２  定位穴、３３１  通気孔、３３２  定位ロッド、３３３  頂ブロック、３３４  連通部、３３５  ホース、３３６  軟質吸上げ管、３４１  押圧ブロック
【図１】
0004658559.tif 000002
【図２】
0004658559.tif 000003
【図３】
0004658559.tif 000004
【図４】
0004658559.tif 000005
【図５】
0004658559.tif 000006
【図６】
0004658559.tif 000007
【図７】
0004658559.tif 000008
【図８】
0004658559.tif 000009
【図９】
0004658559.tif 000010